(57)【特許請求の範囲】
【請求項１】
基準面に対して互いに対向するように配置された一対の第１の反射面と、内部に円筒形状の光源が収納される第２の反射面とを有し、前記光源の中心軸が前記基準面に位置するようにした電子閃光装置用反射鏡において、
前記一対の第１の反射面を平面で形成するとともに、
前記第２の反射面側に位置する前記一対の第１の反射面の各一端と、前記光源の中心軸とを結ぶ線分が、前記基準面に対してなす角度が９０度以下であり、
前記第２の反射面は、前記光源の中心軸を曲率半径の中心軸とすることにより得られる円筒状の円筒面部であって前記光源の外周面から離れて配置される円筒面部を具えるとともに、前記第２の反射面の内周面には前記光源の外周面に当接する複数の突起が間欠的に配設され、前記第２の反射面と前記光源の外周面との間には空気循環用間隙が形成されるようにしたことを特徴とする電子閃光装置用反射鏡。
【請求項２】
前記第２の反射面は、
前記円筒面部の中心軸を挟んで前記円筒面部と反対側の位置に配設され、かつ前記円筒面部の中心軸を基準に、前記円筒面部の形状に対し非点対称形状に形成された反射部
をさらに具えたことを特徴とする請求項（１）記載の電子閃光装置用反射鏡。
【請求項３】
前記反射部は、前記光源の中心軸を曲率半径の中心軸とすることにより得られる円筒状の円筒面部内の、前記光源の中心軸以外の軸を、曲率半径の中心軸とすることにより得られる、前記円筒面部とは別の円筒状の円筒面部からなることを特徴とする請求項（２）記載の電子閃光装置用反射鏡。
【請求項４】
前記反射部は、複数の平面部を具えてなることを特徴とする請求項（２）記載の電子閃光装置用反射鏡。
【発明の詳細な説明】
【技術分野】
【０００１】
本発明は、光源から放射された直射光及び反射面で反射された反射光をまとめて被写体に照射させる電子閃光装置に用いられる反射鏡に関するものである。
【背景技術】
【０００２】
従来の電子閃光装置用反射鏡としては、例えば、図２１に示すようなものがある（例えば、特許文献１）。
【０００３】
図２１は、従来の電子閃光装置用反射鏡の概念断面図である。  
図２１に示す従来の電子閃光装置用反射鏡（以下、単に「反射鏡」という。）１１１は、中央部に光源（図示しない）が収納される光源収納部１０１と、この光源収納部１０１に連続して形成された上面部１０４及び下面部１０５を備えている。このうち、上面部１０４及び下面部１０５の各内面１０４ａ、１０５ａは、全体として略円筒形状をなす円筒曲面の一部によって形成されている。また各内面１０４ａ、１０５ａは、基準軸Ｋに対して対向し、また各内面１０４ａ、１０５ａは基準軸Ｋを基準として上下対称に形成されている。この上面部１０４及び下面部１０５の各内面１０４ａ、１０５ａは、第１の反射面を構成している。また、光源収納部１０１は、収納された上記光源の中心軸を中心軸Ｏとし、光源の外半径Ｒを半径とすることによって得られる円筒状の円筒面部１０２を具えてなり、この円筒面部１０２の内面１０２ａは第２の反射面を構成している。
【０００４】
このような反射鏡１１１によれば、上記光源から出た光は、直接照射されるか、第１の反射面または第２の反射面によって開口部１１１ａから前方に放射される。なお、その放射は、図２１に示すような配光角α（例えば、４５度）をもって行われる。
【特許文献１】特開２００４−２１２９２６号公報
【発明の開示】
【発明が解決しようとする課題】
【０００５】
ところで、上述した従来の反射鏡１１１では、上面部１０４及び下面部１０５の各内面１０４ａ、１０５ａを、全体として略円筒形状をなす円筒曲面の一部によって形成することとしている。この各内面１０４ａ、１０５ａの各形状や各寸法は、非球面曲線に存在する焦点という概念を用いて設計されるものである。そのため、各内面１０４ａ、１０５ａの各形状や各寸法を、簡単な幾何光線追跡によって決定することが困難であり、通常、数学の公式を用いたり複雑な座標値設定を行ったりして内面１０４ａ、１０５ａの各形状や各寸法を決定している。
【０００６】
反射鏡１１１を作る場合には通常、各内面１０４ａ、１０５ａの各形状や各寸法に基づいて設計するから、上述したように各内面１０４ａ、１０５ａの各形状や各寸法の決定において、数学の公式を用いたり複雑な座標値設定を行ったりしなければならないことは、反射鏡１１１の設計作業を煩雑にし、また反射鏡１１１の製造に長時間を要し、また反射鏡１１１の製造コストが高くなるという問題を引き起こしていた。
【０００７】
上述した事情に鑑み、本願発明は、電子閃光装置用反射鏡の設計作業を簡単にし、また電子閃光装置用反射鏡の製造を短時間で行うことができ、また電子閃光装置用反射鏡の製造コストを低下させることができる電子閃光装置用反射鏡を提供することを目的とする。
【課題を解決するための手段】
【０００８】
上述した課題を解決して上述した目的を達成するため、本願発明の電子閃光装置用反射鏡は、基準面に対して互いに対向するように配置された一対の第１の反射面と、内部に円筒形状の光源が収納される第２の反射面とを有し、前記光源の中心軸が前記基準面に位置するようにした電子閃光装置用反射鏡において、前記一対の第１の反射面を平面で形成するとともに、前記第２の反射面側に位置する前記一対の第１の反射面の各一端と、前記光源の中心軸とを結ぶ線分が、前記基準面に対してなす角度が９０度以下であり、前記第２の反射面は、前記光源の中心軸を曲率半径の中心軸とすることにより得られる円筒状の円筒面部であって前記光源の外周面から離れて配置される円筒面部を具えるとともに、前記第２の反射面の内周面には前記光源の外周面に当接する複数の突起が間欠的に配設され、前記第２の反射面と前記光源の外周面との間には空気循環用間隙が形成されるようにしたことを特徴としている。
【発明の効果】
【０００９】
本願発明の電子閃光装置用反射鏡は、基準面に対して互いに対向するように配置された一対の第１の反射面と、内部に円筒形状の光源が収納される第２の反射面とを有し、前記光源の中心軸が前記基準面に位置するようにした電子閃光装置用反射鏡において、前記一対の第１の反射面を平面で形成するとともに、前記第２の反射面側に位置する前記一対の第１の反射面の各一端と、前記光源の中心軸とを結ぶ線分が、前記基準面に対してなす角度が９０度以下であり、前記第２の反射面は、前記光源の中心軸を曲率半径の中心軸とすることにより得られる円筒状の円筒面部であって前記光源の外周面から離れて配置される円筒面部を具えるとともに、前記第２の反射面の内周面には前記光源の外周面に当接する複数の突起が間欠的に配設され、前記第２の反射面と前記光源の外周面との間には空気循環用間隙が形成されることとしたから、第１の反射面が全体として略円筒形状をなす円筒曲面の一部によって形成されている従来の反射鏡に比し、第１の反射面の形状や寸法を決定することが簡単となり、これにより反射鏡の設計作業が簡単となり、また電子閃光装置用反射鏡の製造を短時間で行うことができ、また電子閃光装置用反射鏡の製造コストを低下させることができる。
【図面の簡単な説明】
【００１０】
【図１】図１は、本願発明の第1実施例の電子閃光装置用反射鏡の概念断面図であって特にその外形を示す図である。
【図２】図２は、図１の電子閃光装置用の反射鏡による光の反射と光路の例を示す説明図である。
【図３】図３は図１の電子閃光装置の反射鏡による光の反射と光路の例を示す説明図である。
【図４】図４は図１の電子閃光装置の反射鏡による光の反射と光路の例を示す説明図である。
【図５】図５は図１の電子閃光装置の反射鏡による光の反射と光路の例を示す説明図である。
【図６】図６は図１の電子閃光装置の反射鏡による光の反射と光路の例を示す説明図である。
【図７】図７は図１の電子閃光装置の反射鏡による光の反射と光路の例を示す説明図である。
【図８】図８は図１の電子閃光装置の反射鏡による光の反射と光路の例を示す説明図である。
【図９】図９は図１の電子閃光装置の反射鏡による光の反射と光路の例を示す説明図である。
【図１０】図１０は図１の電子閃光装置の反射鏡による光の反射と光路の例を示す説明図である。
【図１１】図１１は図１の電子閃光装置の反射鏡による光の反射と光路の例を示す説明図である。
【図１２】図１２は図１の電子閃光装置の反射鏡による光の反射と光路の例を示す説明図である。
【図１３】図１３は図１の電子閃光装置用反射鏡の設計手順を示す図である。
【図１４】図１４は図２の電子閃光装置用反射鏡の設計手順を示す図であって図１３と異なる手順で設計する場合の様子を示す図である。
【図１５】図１５は、本願発明の第２実施例の電子閃光装置用反射鏡を示す概念断面図である。
【図１６】図１６は、本願発明の第３実施例の電子閃光装置用反射鏡の概念断面図である。
【図１７】図１７は、本願発明の第４実施例の電子閃光装置用反射鏡の概念断面図である。
【図１８】図１８は、本願発明の第５実施例の電子閃光装置用反射鏡の概念断面図である。
【図１９】図１９は、本願発明の第６実施例の電子閃光装置用反射鏡の概念断面図である。
【図２０】図２０は図１９の電子閃光装置用反射鏡の動作を示す概念図である。
【図２１】図２１は、従来の電子閃光装置用反射鏡の概念断面図である。
【符号の説明】
【００１１】
１、２１、３１、５１、７１、９１…電子閃光装置用反射鏡
２…光源
２ａ…光源の中心軸
５、７…一対の第１の反射面
５ａ、７ａ…第２の反射面側に位置する一対の第１の反射面の各一端
１２、４２、６２…第２の反射面
１３、４３…円筒状の円筒面部
１４、１５、７４、７５…反射部
１９…複数の突起
３４…空気循環用間隙
７６、７７、７８、７９…複数の平面部
Ｋ…基準面
Ｂ１−Ｏ、Ｂ２−Ｏ、Ｂ１´−Ｏ、Ｂ２´−Ｏ…線分
【発明を実施するための最良の形態】
【００１２】
本願発明の電子閃光装置用反射鏡について、以下、第１実施例乃至第６実施例において、添付図面を参照して説明する。
【実施例１】
【００１３】
図１は本願発明の第１実施例の電子閃光装置用反射鏡（以下、単に「反射鏡」という。）の概念断面図であって特にその外形を示す図、図２乃至図１２は図１の電子閃光装置の反射鏡による光の反射と光路の例を示す説明図である、図１３は図１の反射鏡の設計手順を示す図、図１４は図１の反射鏡の設計手順を示す図であって図１３と異なる手順で設計する場合の様子を示す図である。なお、図１乃至乃至後述する図２０では、反射鏡はその内面形状のみを図示している。
【００１４】
第１実施例の反射鏡１の上面部４の内面は、図２で示すように、第１の反射面５を構成している。また反射鏡１の下面部６の内面は、第１の反射面７を構成している。また、この一対の第１の反射面５、７は、基準面Ｋに対して互いに対向するように配置されている。また、一対の第１の反射面５及び７は、平面からなる。また、第１の反射面５と７は、基準面Ｋに対して互いに対称となるように配設されている。
【００１５】
また、反射鏡１の正面側には、開口部１ａが形成されている。また反射鏡１の背面側には、光源収納部１１が配設されている。また光源収納部１１の内面は、第２の反射面１２を構成しており、この第２の反射面１２の内部には、円筒形状の光源２（図２）を収納できる。
【００１６】
次に、反射鏡１の断面の構造等についてより詳しく説明するが、説明の便宜上、図１乃至図１４において、Ｘ軸及びＹ軸からなる座標系を用いるとともに、互いに直交するＸ軸とＹ軸との交点を中心軸Ｏとする。また、反射鏡１の基準面Ｋが、Ｘ軸上に配置されることとする。また、点Ｂ１は第１の反射面５と第２の反射面１２との連結点を示す。また、点Ｂ２は第１の反射面７と第２の反射面１２との連結点を示す。また、点Ｃ１は第２の反射面１２がＹ軸と交差する点であって基準面Ｋに対し点Ｂ１側に位置する点を示す。またＣ２は、第２の反射面１２がＹ軸と交差する点であって基準面Ｋに対し点Ｂ２側に位置する点を示す。また点Ｄ１は中心軸Ｏを基準に点Ｂ２と点対称な点を示す。また点Ｄ２は中心軸Ｏを基準に点Ｂ１と点対称な点を示す。
【００１７】
図１で示すように、反射鏡１の第２の反射面１２は、光源２の中心軸２ａを曲率半径の中心軸Ｏとすることにより得られる円筒状の円筒面部１３を具えている。この円筒部面１３は、第２の反射面１２の点Ｂ１から点Ｃ１までの領域、点Ｄ１から点Ｄ２までの領域（点Ｇを含む）、点Ｃ２から点Ｂ２までの領域にそれぞれ形成されている。この各円筒面部１３は、中心軸Ｏを光源２の中心軸２ａとし、その断面の半径Ｒ１が、光源２の外半径Ｒと同一となるように設定されている。
【００１８】
また、第２の反射面１２は、円筒面部１３の中心軸Ｏを挟んで、点Ｂ２から点Ｃ２までの領域に形成された円筒面部１３と反対側の位置（点Ｄ１から点Ｃ１までの領域）に配設された反射部１４を具えている。この反射部１４は、円筒面部１３の中心軸Ｏを基準に、点Ｂ２から点Ｃ２までの領域に形成された円筒面部１３の形状に対し非対称形状に形成されている。
【００１９】
また、第２の反射面１２は、円筒面部１３の中心軸Ｏを挟んで、点Ｂ１から点Ｃ１までの領域に形成された円筒面部１３と反対側の位置（点Ｄ２から点Ｃ２までの領域）に配設された反射部１５を具えている。この反射部１５は、円筒面部１３の中心軸Ｏを基準に、点Ｂ１から点Ｃ１までの領域に形成された円筒面部１３の形状に対し非点対称形状に形成されている。
【００２０】
また、反射部１４、１５は、それぞれ、光源２の中心軸２ａを曲率半径の中心軸Ｏとすることにより得られる円筒状の円筒面部１３内の、光源２の中心軸２ａ以外の軸Ｉ１、Ｉ２を、曲率半径の中心軸とすることにより得られる円筒状の円筒部（円筒部１３とは別の円筒部）からなる。この反射部１４、１５は、それぞれ中心軸をＩ１、Ｉ２とし、それぞれ断面の半径ｒ１、ｒ２に設定した円筒面部によって形成されている。また、反射部１４は、その両端が円筒面部１３の両端である点Ｃ１、点Ｄ１とそれぞれ連続するように形成されている。また反射部１５は、その両端が、円筒面部１３の両端である点Ｄ２、点Ｃ２とそれぞれ連続するように形成されている。  
なお、この反射鏡１では、半径ｒ１、ｒ２は、いずれも光源２の内半径ｒ（図１）と同一にされている。
【００２１】
また、第２の反射面１２側に位置する一対の第１の反射面５、７の各一端５ａ、７ａと、光源２の中心軸２ａとを結ぶ線分Ｂ１−Ｏ、Ｂ２−Ｏがそれぞれ基準面Ｋに対してなす角度βｕ、βｄは、いずれも９０度以下に設定されている。
【００２２】
また、図１で示すように第２の反射面１２側に位置する一対の第１の反射面５、７の各一端５ａ、７ａ間の距離、すなわち点Ｂ１と点Ｂ２との間の距離は、第２の反射面１２と反対側に位置する一対の第１の反射面５、７の各他端間の距離、すなわち点Ａ１と点Ａ２との間の距離より小さくされている。
【００２３】
次に、光源２が収納された反射鏡１について、該反射鏡における光の反射と光路の例を示す図２乃至図１２を用いて説明する。  
なお、第１実施例の電子閃光装置の反射鏡１は、最大配光角αを４５度（上配光角αｕが２２．５度であって、下配光角αｄも２２．５度）に設定したものである。
【００２４】
図２の反射鏡１では、点Ｂ１から点Ｃ１までの領域、点Ｄ１から点Ｄ２までの領域（点Ｇを含む）、点Ｂ２から点Ｃ２までの領域にそれぞれ形成された円筒面部１３は、その断面が、中心軸Ｏを中心軸として曲率半径Ｒ１によって得られる円弧形状にされている。したがって、光源２から放射された光が、直接または反射（一重反射、二重反射などの多重反射を含む）後に、各円筒面部１３に入射された場合には、該光は、光源２の中心軸２ａを通るように反射する。
【００２５】
また、点Ｃ１から点Ｄ１までの領域に形成された反射部１４は、円筒面部１３の中心軸Ｏを挟んで点Ｃ２から点Ｂ２までの領域に形成された円筒面部１３と反対側の位置に形成され、かつ該反射部１４は、中心軸Ｏを基準に、点Ｃ２から点Ｂ２までの領域に形成された円筒面部１３の形状に対し非対称形状に形成されている。具体的には、反射部１４は、その断面が、軸Ｉ１を中心とした曲率半径ｒ１（円筒部面１３の半径Ｒ１と同一ではない）によって得られる円弧形状となるようにされている。したがって、光源２から放射された光が、直接または反射（一重反射、二重反射などの多重反射を含む）後に、反射部１４に入射された場合には、該光は軸Ｉ１を基準にして反射する。
【００２６】
また、点Ｄ２から点Ｃ２までの領域に形成された反射部１５は、円筒面部１３の中心軸Ｏを挟んで点Ｂ１から点Ｃ１までの領域に形成された円筒面部１３と反対側の位置に形成され、かつ該反射部１５は、中心軸Ｏを基準に、点Ｂ１から点Ｃ１までの領域に形成された円筒面部１３の形状に対し非対称形状に形成されている。具体的には、反射部１５は、その断面が、軸Ｉ２を中心とした曲率半径ｒ２（円筒部面１３の半径Ｒ１と同一ではない）によって得られる円弧形状となるようにされている。したがって、光源２から放射された光が、直接または反射（一重反射、二重反射などの多重反射を含む）後に、反射部１５に入射された場合には、該光は、軸Ｉ２を基準にして反射する。
【００２７】
以下、さらに具体的に説明すると、図２は、光源２の中心軸２ａから出て前方に向かう光のうち、上配光角αｕの範囲内の光Ｓ１及び下配光角αｄの範囲内の光Ｓ２の光路を示すものである。この場合、光Ｓ１及び光Ｓ２は、一対の第１の反射面５、７の開口部１ａ側先端の点Ａ１から点Ａ２までの範囲、即ち、最大配光角α（α＝αｕ＋αｄ）内において、そのまま直線的に進行して反射鏡の正面側（以下、「前方」という。）に放射される。
【００２８】
また、図２で示すように、光源２の中心軸２ａから出て前方に向かう光のうち、上配光角αｕの角度範囲を超えたが角度βｕまでの間を通過する光Ｓ３は、第１の反射面５に照射され、該第１の反射面５によって反射して前方に放射される。
【００２９】
また、図２で示すように、光源２の中心軸２ａから出て前方に向かう光のうち、下配光角αｄの角度範囲を超えたが角度βｄまでの間を通過する光Ｓ４は、第１の反射面７に照射され、該第１の反射面７によって反射して前方に放射される。
【００３０】
なお、光源２の中心軸２ａから出て前方に向かう光のうち、角度βｕで点Ｂ１に照射された光Ｓ５は、点Ｂ１が第１の反射面５上にあるため、光Ｓ３で説明したとおり第１の反射面５によって反射して前方に放射される。また、その放射方向は、中心軸Ｏと点Ａ２とを結ぶ線分の方向と平行な方向であり、これにより反射鏡１の光の拡散が防止され集光性が維持される。
【００３１】
また、光源２の中心軸２ａから出て前方に向かう光のうち、角度βｄで点Ｂ２に照射された光Ｓ６は、点Ｂ２が第１の反射面７上にあるため、光Ｓ４で説明したとおり、第１の反射面７によって反射して前方に放射される。また、その放射方向は、中心軸Ｏと点Ａ１とを結ぶ線分の方向と平行な方向であり、これにより反射鏡１の光の拡散が防止され集光性が維持される。
【００３２】
また、図３及び図４で示すように、光源２の中心軸２ａから出て前方に向かう光のうち、点Ｂ１から点Ｃ１までの領域に形成された円筒面部１３に照射された光Ｓ７及びＳ８は、通ってきた光路をそのまま反対側に向かって中心軸Ｏへ戻った後、そのまま直線的に進行し、その後、第２の反射面１２の反射部１５に照射される。
【００３３】
そして、該反射部１５に照射された光Ｓ７及びＳ８のうち、図３で示すように軸Ｉ２より反射鏡１の背面側（以下、「後方」という。）から反射部１５に照射された光Ｓ７は、反射部１５への入射角（軸Ｉ２を基準とする）に応じて向きを変えて反射して第１の反射面５に達し、さらに該第１の反射面５によって反射して前方に放射される。
【００３４】
一方、図４で示すように軸Ｉ２より前方から反射部１５に照射された光Ｓ８は、反射部１５への入射角（軸Ｉ２を基準とする）に応じて向きを変えて反射して反射部１４に達する。その際、光Ｓ８は軸Ｉ１より反射鏡１の背面側から反射部１４に達する。また、反射部１４に達した光Ｓ８は、反射部１４への入射角（軸Ｉ１を基準とする）に応じて向きを変えて反射して第１の反射面７に達し、該第１の反射面７によって反射して前方に放射される。
【００３５】
また、図５及び図６で示すように、光源２の中心軸２ａから出た光であって反射鏡１の後方へ向かう光であって、点Ｃ１から点Ｄ１までの領域に形成された反射部１４に照射された光Ｓ９及びＳ１０のうち、図５で示すように軸Ｉ１より前方から反射部１４に達する光Ｓ９は、該反射部１４への入射角（軸Ｉ１を基準とする）に応じて向きを変えて反射して反射部１５に達する。その際、光Ｓ９は、軸Ｉ２より後方から反射部１５に達する。また、反射部１５に達した光Ｓ９は、反射部１５への入射角（軸Ｉ２を基準とする）に応じて向きを変えて反射して第１の反射面５に達し、さらに該第１の反射面５によって反射して前方に放射される。
【００３６】
一方、図６で示すように、軸Ｉ１より後方から反射部１４に達する光Ｓ１０は、反射部１４への入射角（軸Ｉ１を基準とする）に応じて向きを変えて反射して第１の反射面７に達し、該第１の反射面７によって反射して前方に放射される。
【００３７】
また、図７で示すように光源２の中心軸２ａから出た光のうち、反射鏡１の後方に向かう光であって、点Ｄ１から点Ｇまでの領域に形成された円筒面部１３に照射される光は、光Ｓ１１のように、通ってきた光路をそのまま反対側に向かって中心軸Ｏへ戻った後、そのまま直線的に進行して前方に放射されるか、あるいは光Ｓ１２のように、通ってきた光路をそのまま戻って反対側に向かって中心軸Ｏへ戻った後、第１の反射面７に達し、該第１の反射面７によって反射して前方に放射される。
【００３８】
なお、図２で示すように光源２の中心軸２ａから出た光のうち、反射鏡１の後方に向かう光であって点Ｄ１に照射される光Ｓ１３は、通ってきた光路をそのまま反対側に向かって中心軸Ｏへ戻った後、点Ｂ２に達する。また該点Ｂ２に達した光Ｓ１３は、光Ｓ６と同様に前方に放射される。また、その放射方向は、中心軸Ｏと点Ａ１を結ぶ方向と平行な方向であり、これにより反射鏡１の光の拡散が防止され集光性が維持される。
【００３９】
また、図８で示すように光源２の中心軸２ａから出た光のうち、反射鏡１の後方に向かう光であって、点Ｇから点Ｄ２までの領域に形成された円筒面部１３に照射される光は、光Ｓ１４のように、通ってきた光路をそのまま戻って反対側に向かって中心軸Ｏへ戻った後、第１の反射面５に達し、該第１の反射面５によって反射して前方に放射されるか、あるいは、光Ｓ１５のように、通ってきた光路をそのまま戻って反対側に向かって中心軸Ｏへ戻った後、そのまま直線的に進行して前方に放射される。
【００４０】
なお、図２で示すように、光源２の中心軸２ａから出た光のうち、反射鏡１の後方に向かう光であって点Ｄ１に照射される光Ｓ１６は、通ってきた光路をそのまま反対側に向かって中心軸Ｏへ戻った後、点Ｂ１に達するので、該点Ｂ１に達した光Ｓ１６は、光Ｓ５と同様に前方に放射される。またその放射方向は、中心軸Ｏと点Ａ２を結ぶ方向と平行な方向であり、これにより反射鏡１の光の拡散が防止され集光性が維持される。
【００４１】
また、図９及び図１０で示すように、光源２の中心軸２ａから出た光のうち、反射鏡１の後方に向かう光であって、点Ｄ２から点Ｃ２までの領域に形成された反射部１５に照射される光Ｓ１７及びＳ１８のうち、図９で示すように軸Ｉ２より後方から反射部１５に照射された光Ｓ１７は、反射部１５への入射角（軸Ｉ２を基準とする）に応じて向きを変えて反射して第１の反射面５に達し、該第1の反射面５によって反射して前方に放射される。
【００４２】
一方、図１０で示すように軸Ｉ１より前方から反射部１５に照射された光Ｓ１８は、反射部１５への入射角（軸Ｉ２を基準とする）に応じて向きを変えて反射して反射部１４に達する。その際、光Ｓ１８は、軸Ｉ１より反射鏡１の後方から反射部１４に達する。その後、該光Ｓ１８は、反射部１４への入射角（軸Ｉ１を基準とする）に応じて向きを変えて反射して第１の反射面７に達し、該第１の反射面７によって反射して前方に放射される。
【００４３】
また、図１１及び図１２で示すように光源２の中心軸２ａから出た光のうち、反射鏡１の前方に向かう光であって、点Ｃ２から点Ｂ２までの領域に形成された円筒面部１３に照射される光Ｓ１９及びＳ２０は、通ってきた光路をそのまま反対側に向かって中心軸Ｏへ戻った後、そのまま直線的に進行し、その後、反射部１４に照射される。
【００４４】
この光Ｓ１９及び光Ｓ２０のうち、図１１で示すように軸Ｉ１より前方から反射部１４に照射された光Ｓ１９は、反射部１４への入射角（軸Ｉ１を基準とする）に応じて向きを変えて反射して反射部１５に照射される。またその際、光Ｓ１９は軸Ｉ２より背面側から照射される。また、反射部１５に達した光Ｓ１９は反射部１５への入射角（軸Ｉ２を基準とする）に応じて向きを変えて反射して第１の反射面５に達し、該第１の反射面５によって反射して前方に放射される。
【００４５】
また、図１２で示すように軸Ｉ１より後方から反射部１４に照射される光Ｓ２０は、反射部１４への入射角（軸Ｉ１を基準とする）に応じて向きを変えて反射して第１の反射面７に達し、該第１の反射面７によって反射して前方に放射される。
【００４６】
このように、反射鏡１は、基準面Ｋに対して互いに対向するように配置された平面である一対の第１の反射面５、７を有するものとしたから、光源２から前方に放射される光を直接前方に、又は第１の反射面５、７によって反射させて前方に放射することができる。
【００４７】
また、反射鏡１は、基準面Ｋに対して互いに対向するように配置された平面である一対の第１の反射面５、７を具えるとともに、内部に円筒形状の光源２が収納される第２の反射面１２を具え、該第２の反射面１２を、光源２の中心軸２ａを曲率半径の中心軸Ｏとすることにより得られる円筒状の円筒面部１３と、円筒面部１３の中心軸Ｏを挟んで円筒面部１３と反対側の位置に配設され、かつ中心軸Ｏを基準に、円筒面部１３の形状に対し非対称形状に形成された反射部１４、１５とを具えるものとしたから、光源２から後方に放射される光も、第２の反射面１２によって、又は該第２の反射面１２と第１の反射面５又は７によって、前方に放射させることができる。そのため、反射鏡１の反射効率を高めることができ、また反射鏡１３内部における反射吸収による熱変換を極力抑えて外部に出力し、多くの光を有効光として利用することができる。  
このように、反射鏡１によると、光源２から放出された光を直接、あるいは第1の反射面５、７又は第２の反射面１２による反射によって、所定の配光角内においてすべて効率良く放射することが可能となる。
【００４８】
またこの反射鏡１は、上述のように、反射鏡内面における多重反射によって反射効率の低下を防止する作用効果を、平面と円筒面とによって形成された反射面によって実現するものである。
【００４９】
次に、このような反射鏡１を設計する手順について説明するが、ここでも、反射鏡１の最大配光角αを４５度（上配光角αｕが２２．５度であって、下配光角αｄも２２．５度）とする場合を代表して説明する。
【００５０】
まず、図１３で示すように、中心軸Ｏを交点とするＸ軸とＹ軸を具えた座標系において、中心Ｏに、光源２の中心軸２ａを配置する。次に、この中心ＯからＸ軸に対し、それぞれ角度αｕ、αｄをなす線Ｐ１、Ｐ２（光軸面に相当）を引く。  
次に、Ｘ軸上の任意の点Ｈを選択し、この点Ｈを含み、かつＹ軸に平行な軸が、線Ｐ１、Ｐ６と交わる点Ａ１、Ａ２を決定する。なお点Ｈの選択により、中心Ｏと、点Ａ１及び点Ａ２を結ぶ光軸との間の距離、すなわち中心Ｏから開口部１ａまでの奥行きが決定する。また、点Ａ１及び点Ａ２の間の距離が開口部寸法となる。次に、点Ａ１と点Ａ２から、それぞれ、光源２の外形に向かって平面を伸ばし、光源２の外形と交わる交点をＢ１、Ｂ２とする。ここで、交点Ｂ１は、中心Ｏから出た光が点Ｂ１に照射された場合に、点Ａ１と点Ｂ１とを含む平面反射板上に照射され該平面反射板によって反射される光が、Ｘ軸に対しなす角γuが、αｄと同一角度である２２．５度となる点を選択する。また、点Ｂ２は、中心Ｏから出た光が点Ｂ２に照射された場合に、点Ａ２と点Ｂ２とを含む平面反射板上に照射され、該平面反射板によって反射される光がＸ軸に対しなす角γdが、αｕと同一角度である２２．５度となる点を選択する。このように点Ｂ１及び点Ｂ２を決定すると、第１の反射面５、７の寸法や形状を決定することができる。
【００５１】
また、上述した手順とは異なる方法によって第１の反射面５、７の寸法や形状を決定することができる。
【００５２】
たとえば、図１４で示すように、点Ａ１及びＡ２の間の距離である開口部寸法を予め任意に決定するとともに該開口部寸法を満たす点Ａ１と点Ａ２を設定する。このとき、点Ａ１とＡ２は、Ｙ軸と平行な光軸上に設定する。また、点Ａ１と点Ａ２とを結ぶ線分の中点Ｈが、Ｘ軸上に配置されるようにする。次に、点Ａ１と点Ａ２から、それぞれ、光源２の外形に向かって平面を伸ばし、光源２の外形と交わる交点をＢ１、Ｂ２とする。ここで、交点Ｂ１は、中心Ｏから出た光が点Ｂ１に照射された場合に、点Ａ１と点Ｂ１とを含む平面反射板上に照射され、該平面反射板によって反射される光がＸ軸に対しなす角γuがαｄと同一角度である２２．５度となる点を選択する。また、点Ｂ２は、中心Ｏから出た光が点Ｂ２に照射された場合に、点Ａ２と点Ｂ２とを含む平面反射板上に照射され、該平面反射板によって反射される光がＸ軸に対しなす角γdが、αｕと同一角度である２２．５度となる点を選択する。このような点Ｂ１及び点Ｂ２を決定すると、中心Ｏと、点Ａ１及び点Ａ２を結ぶ光軸との間の距離、すなわち中心Ｏから開口部１ａまでの距離を自動的に決定することができ、これにより第１の反射面５、７の寸法や形状を決定することができる。
【００５３】
また、上述した二つの反射鏡１の設計方法のいずれの方法を用いた場合であっても、設計された反射鏡１では、前記第２の反射面側に位置する一対の第１の反射面５、７の各一端５ａ、７ａと、光源２の中心軸２ａとを結ぶ線分Ｂ１−〇、Ｂ２−Ｏは、基準面Ｋに対してなす角度が９０度以下となる。
【００５４】
また、反射鏡１において、仮に第２の反射面１２が、光源２の中心軸２ａを曲率半径の中心軸Ｏとすることにより得られる円筒状の円筒面部１３のみからなるものとすると、光源２から放射された光が、点Ｄ１から点Ｄ２までの領域（点Ｇを含む）に直接、または反射（一重反射、二重反射などの多重反射を含む）後に入射された場合には、該光は円筒面部１１の外部へ放出される。しかし、光源２から照射された光のうち、点Ｃ１から点Ｄ１までの領域、点Ｃ２から点Ｂ２までの領域にそれぞれ照射された各光は、円筒面部１１の外部へ放出されない。そのため、本願発明の反射鏡では、点Ｃ２から点Ｂ２までの領域、点Ｃ１から点Ｄ１までの領域のうちいずれか一方の領域に反射部１４を具えている。この第１実施例の反射鏡１では、図１３及び図１４で示すように、第２の反射面１２に、円筒面部１３の中心軸Ｏを挟んで、点Ｃ２から点Ｂ２までの領域に形成された円筒面部１３と反対側の位置に配設され、かつ中心軸Ｏを基準に、点Ｃ２から点Ｂ２までの領域に形成された円筒面部１３の形状に対し非対称形状に形成された反射部１４（点Ｃ１から点Ｄ１までの領域）を設けている。
【００５５】
また、反射鏡１において、仮に第２の反射面１２が光源２の中心軸２ａを曲率半径の中心軸Ｏとすることにより得られる円筒状の円筒面部１３のみからなるものとすると、光源２から照射された光のうち、点Ｂ１から点Ｃ１までの領域、点Ｄ２から点Ｃ２までの領域にそれぞれ照射された各光も、円筒面部１１の外部へ放出されない。そのため、本願発明の反射鏡では、点Ｂ１から点Ｃ１までの領域、点Ｄ２から点Ｃ２までの領域のうち、いずれか一方の領域に反射部１５を具えている。
【００５６】
この第１実施例の反射鏡１では、図１３および図１４で示すように、第２の反射面１２に、円筒面部１３の中心軸Ｏを挟んで、点Ｂ１から点Ｃ１までの領域に形成された円筒面部１３と反対側の位置に配設され、かつ中心軸Ｏを基準に、点Ｂ１から点Ｃ１までの領域に形成された円筒面部１３の形状に対し非対称形状に形成された反射部１５（点Ｄ２から点Ｃ２の領域）を設けている。
【００５７】
この反射部１４、１５を求めるには、まず、光源の中心軸２ａを曲率半径の中心Ｏとすることにより得られる円筒状の円筒面部１３内の、光源２の中心軸２ａ以外の軸Ｉ１、Ｉ２を選択する。この軸Ｉ１は、軸Ｃ１及び軸Ｄ１から等距離にある軸とし、軸Ｉ２を軸Ｃ２と軸Ｄ２から等距離にある軸とする。このような軸Ｉ１、Ｉ２をそれぞれ選択すると、反射部１４の両端が円筒面部１３の両端である点Ｃ１、Ｄ１とそれぞれ連続し、また反射部１５の両端が円筒面部１３の両端である点Ｃ２、Ｄ２とそれぞれ連続することとなる。
【００５８】
また、軸Ｉ１、Ｉ２を、それぞれ曲率半径の中心軸とすることにより得られる円筒状の円筒面部、たとえば、中心軸をＩ１、Ｉ２とし、断面の半径ｒ１、ｒ２に設定した円筒面（第２の円筒面）を決定する。例えば、この実施例１のように、半径ｒ１、半径ｒ２はいずれも光源２の断面の内半径ｒと同一にしてもよい。
【００５９】
このように第１の反射面５、７の各形状や各寸法を決定し、さらに第２の反射面１２の形状や寸法を決定することによって反射鏡１の設計を行うことができる。
【００６０】
また、本願発明の反射鏡１は、基準面Ｋに対して互いに対向するように配置された一対の第１の反射面５、７と、内部に円筒形状の光源２が収納される第２の反射面１２とを有し、光源２の中心軸２ａが基準面Ｋに位置するようにされた反射鏡において、一対の第１の反射面５、７を平面で形成するとともに、第２の反射面１２側に位置する一対の第１の反射面５、７の各一端５ａ、７ａと、光源２の中心軸２ａとを結ぶ線分Ｂ１−Ｏ、Ｂ２−Ｏが、基準面Ｋに対してなす角度が９０度以下であることとしているから、これにより、反射鏡１は、平面と円筒面とから構成されることとなる。そのため、この反射鏡１では、図２１で示す従来の反射鏡、すなわち第１の反射面が全体として略円筒形状をなす円筒曲面の一部によって形成されている従来の反射鏡１１１において第1の反射面の形状や寸法を決定する場合に用いていた焦点という概念を用いることはなく、また従来用いていた数学の公式を用いたり複雑な座標値設定を行ったりすることなく、簡単な幾何光線追跡によって第１の反射面の各形状や各寸法を決定することができる。このように従来の反射鏡に比し、第１の反射面の形状や寸法を決定することが簡単となるため、反射鏡１の設計作業を簡単にでき、反射鏡１の製造を短時間で行うことができ、また反射鏡１の製造コストを低下させることができる。
【００６１】
また、本願発明の反射鏡１は、基準面Ｋに対して互いに対向するように配置された一対の第１の反射面５、７と、内部に円筒形状の光源２が収納される第２の反射面１２とを有し、光源２の中心軸２ａが基準面Ｋに位置するようにされた反射鏡において、一対の第１の反射面５、７を平面で形成するとともに、第２の反射面１２側に位置する一対の第１の反射面５、７の各一端５ａ、７ａと、光源２の中心軸２ａとを結ぶ線分Ｂ１−Ｏ、Ｂ２−Ｏが、基準面Ｋに対してなす角度が９０度以下であることとしているから、開口部寸法、すなわち点Ａ１と点Ａ２の間の距離を従来に比し短くすることができるとともに、奥行き寸法、すなわち点Ｏから点Ｈまでの距離を従来に比し短くすることができ、また上記開口部寸法を、光源２の外半径Ｒよりも小さい値にすることもできる。
【実施例２】
【００６２】
図１５は、本願発明の第２実施例の反射鏡の概念断面図である。  
第２実施例の反射鏡２１は、第１実施例の反射鏡１のものとは異なる位置に、反射部１４、１５が配設されている。この反射部１４は、円筒面部１３の中心軸Ｏを挟んで、点Ｄ２から点Ｃ２までの領域に形成された円筒面部１３と反対側の位置（点Ｂ１から点Ｃ１までの領域）に配設され、かつ、中心軸Ｏを基準に、点Ｄ２から点Ｃ２までの領域に形成された円筒面部１３の形状に対し非対称形状に形成されている。また、反射部１４は、その両端が点Ｂ１、点Ｃ１とにそれぞれ連続するように形成されている。
【００６３】
また、反射部１５は、円筒面部１３の中心軸Ｏを挟んで、点Ｃ１から点Ｄ１までの領域に形成された円筒面部１３と反対側の位置（点Ｃ２から点Ｂ２までの領域）に配設され、かつ、中心軸Ｏを基準に、点Ｃ１から点Ｄ１までの領域に形成された円筒面部１３の形状に対し非対称形状に形成されている。また反射部１５は、その両端が、点Ｂ２、点Ｃ２とそれぞれ連続するように形成されている。  
なお、その他の構成は前記実施例と同様であるため、同一部分には同一の符号を付してそれらの説明を省略する。
【００６４】
このような第２実施例の反射鏡２１では、光源２から放射された光が、入射点Ｃ１から点Ｄ１までの領域に形成された円筒面部１３、点Ｄ１から点Ｄ２までの領域（点Ｇを含む）に形成された円筒面部１３、点Ｄ２から点Ｃ２までの領域に形成された円筒面部１３に、直接または反射（一重反射、二重反射などの多重反射を含む）後に入射された場合には、該光は光源２の中心軸２ａを通るように反射する。また、光源２から放射された光が、直接または反射（一重反射、二重反射などの多重反射を含む）後に、点Ｂ１から点Ｃ１までの領域に形成された反射部１４に入射された場合には、軸Ｉ１を基準にして反射する。また、光源２から放射された光が、直接または反射（一重反射、二重反射などの多重反射を含む）後に、点Ｃ２から点Ｂ２までの領域に形成された反射部１５に入射された場合には、軸Ｉ２を基準にして反射する。
【００６５】
したがって、この第２実施例の反射鏡２１では、第１実施例の反射鏡１と同様に、光源２から放出された光を直接、あるいは第1の反射面５、７又は第２の反射面１２による反射によって、所定の配光角内においてすべて効率良く放射することが可能となる。
【００６６】
また、この反射鏡２１では、上述した第１の実施例の反射鏡１と同様の作用効果を奏する。
【実施例３】
【００６７】
図１６は、本発明の第３実施例の反射鏡の概念断面図である。  
第３実施例の反射鏡３１では、第２の反射面４２が、光源２の中心軸２ａを中心軸Ｏとすることにより得られる円筒状の円筒面部４３であって、光源２の外周面から離れて配置される円筒面部４３を具えている。この円筒部面４３の断面の半径Ｒ１は、光源２の外半径Ｒより大きく設定されている。また第２の反射面４２には、光源２の外周面に当接する複数の突起１９が互いに間隔を隔てて、すなわち間欠的に配設されている。
【００６８】
また、第２の反射面４２は、実施例１の反射鏡１の反射部１４、１５の第２の反射面１２と同様の領域に、それぞれ反射部１４、１５を具えている。ただし、実施例３では、反射部１４、１５の半径ｒ１、ｒ２は、光源２の内半径ｒより大きくされている。また、半径ｒ１と半径ｒ２は同一の大きさにされている。  
なお、その他の構成は前記実施例と同様であるため、同一部分には同一の符号を付してそれらの説明を省略する。
【００６９】
この第３実施例の反射鏡３１では、第２の反射面４２に、光源２の外周面に接する複数の突起１９が間欠的に配設されているから、これにより第２の反射面４２と光源２の外周面との間には空気循環用間隙３４が形成される。したがって、光源２から発生した熱は、空気循環用間隙３４内の空気とともに、該空気循環用間隙３４を循環する。そのため、該熱によって反射鏡３１が損傷する虞を可及的に阻止でき、特に、高電圧が加わる高出力放電管を反射鏡３１の光源として用いた場合には、第３実施例の反射鏡３１は有効である。  
なお、上記複数の突起１９は、光源２の外周面に当接して該光源２を支持する機能も有する。
【００７０】
また、この反射鏡３１では、上述した第１実施例の反射鏡３と同様の作用効果を奏する。
【実施例４】
【００７１】
図１７は、本願発明の第４実施例の反射鏡の概念断面図である。  
この反射鏡５１は、第３実施例の反射鏡３１と同様に、第２の反射面４２に円筒面部４３を具えている。また第２の反射面４２と光源２との間には、第３実施例の反射鏡３１と同様に、複数の突起１９が介在されている。
【００７２】
また、第２の反射面４２には、実施例２の反射鏡２３の反射部１４、１５と同様の領域に反射部１４、１５が形成され、実施例２の反射鏡２１の円筒面部１３と同様の領域に円筒面部４３が形成されている。  
なお、第４実施例の反射鏡５１では、反射部１４、１５の半径ｒ１、ｒ２は、光源２の内半径ｒより大きくされている。また、半径ｒ１と半径ｒ２は同一の大きさにされている。  
なお、その他の構成は前記実施例と同様であるため、同一部分には同一の符号を付してそれらの説明を省略する。
【００７３】
このような第４実施例の反射鏡５１によると、第３実施例の反射鏡３１と同様に、空気循環用間隙３４によって、光源２から発生した熱によって反射鏡１３が損傷する虞を可及的に阻止でき、特に、高電圧が加わる高出力放電管を反射鏡の光源として用いた場合に第４実施例の反射鏡５１は有効である。
【００７４】
なお、上記複数の突起１９が、光源２の外周面に当接して該光源２を支持する点は、第３実施例の反射鏡３１と同様である。
【００７５】
また、この反射鏡５１では、上述した第1の実施例の反射鏡１と同様の作用効果を奏する。
【実施例５】
【００７６】
図１８は、本願発明の第５実施例の反射鏡の概念断面図である。  
この第５実施例の反射鏡７１では、第２の反射面６２は、第４の反射鏡５１のものと同様に、円筒面部４３を具えている。また第２の反射面６２には、光源２の外周面に当接する複数の突起１９が間欠的に配設されている。
【００７７】
また、第２の反射面６２には、第４実施例５１の反射部１４、１５に替えて、それぞれ、反射部７４、７５を具えている。  
このうち、反射部７４は、点Ｂ１から点Ｅ１までの平面７６と、点Ｃ１から点Ｅ１までの平面７７とによって形成されており、点Ｂ１から点Ｅ１までの距離と、点Ｂ１から点Ｅ１までの距離とが同一になるようにされている。  
また反射部７５は、点Ｂ２から点Ｅ２までの平面７８、点Ｃ２から点Ｅ２までの平面７９とによって形成されており、点Ｂ２から点Ｅ２までの距離と、点Ｃ２から点Ｅ２までの距離とが同一になるようにされている。  
なお、他の構成は前記実施例と同様であるため、同一部分には同一の符号を付してそれらの説明を省略する。
【００７８】
この第５実施例の反射鏡７１では、一対の第１の反射面５、７を平面で形成するとともに、第２の反射面４２側に位置する一対の第１の反射面５、７の各一端５ａ、７ａと、光源２の中心軸２ａとを結ぶ線分Ｂ１−Ｏ、Ｂ２−Ｏが、基準面Ｋに対してなす角度が９０度以下であるから、第１実施例及び第４実施例の反射鏡１、５１の反射鏡と同様の作用効果を奏することはいうまでもない。
【実施例６】
【００７９】
図１９は本願発明の第６実施例の反射鏡を示す概念断面図である。  
この第６実施例の反射鏡９１は、一対の第1の反射面５、７が、第２の反射面１２側に位置する各一端５ａ、７ａが移動可能である点を除き、第1の該第1の反射鏡３の構成と同様である。  
この反射鏡９１では、一対の第１の反射面５、７の各一端５ａ、７ａの移動は、例えば、図２０で示すように、点Ａ１、Ａ２にそれぞれ位置する第１の反射面５、７の各他端を中心にして、各一端５ａ、７ａが回動するように行われる。  
なお、その他の構成は前記実施例の反射鏡と同様であるため、同一部分には同一の符号を付してそれらの説明を省略する。
【００８０】
なお、図１９では、光源２から前方に放射された光路の例として光Ｓ２１乃至光Ｓ２４を図示している。光Ｓ２１は点Ａ１に照射される光の光路、光Ｓ２２は点Ａ２に照射される光の光路、光Ｓ２３は点Ｂ１に照射される光の光路、光Ｓ２４は点Ｂ２に照射される光の光路を実線で図示している。
【００８１】
また、図２０は、第１の反射面５の一端５ａが点Ｂ１から点Ｂ１´に移動し、また第1の反射面７の一端が点Ｂ２から点Ｂ２´に移動した場合において、光源２から前方に放射された光の光路の例を示す図であり、図１９の光Ｓ２１乃至光２４にそれぞれ対応する光Ｓ２１´乃至光Ｓ２４´の光路を実線で図示している。すなわち光Ｓ２１´は点Ａ１に照射される光の光路、光Ｓ２２´は点Ａ２に照射される光の光路、光Ｓ２３´は点Ｂ１を通過する光の光路、光Ｓ２４´は点Ｂ２を通過する光の光路を図示している。
【００８２】
なお、図１９では、移動後の第１の反射面５、７を一点鎖線で図示している。また、図２０では、移動前の第１の反射面５、７を一点鎖線で図示するとともに、移動前の光Ｓ２０乃至光２３の各光路を二点鎖線で図示している。
【００８３】
このような構成からなる第６実施例の反射鏡９１では、第１の反射面５、７の各一端５ａ、７ａが、図１９で示す初期位置点Ｂ１、Ｂ２にそれぞれ配置された場合、該各一端５ａ、７ａと光源２の中心軸２ａとを結ぶ線分Ｂ１−Ｏ、Ｂ２−Ｏは基準面Ｋに対してなす角度が９０度以下である。
【００８４】
また、第１の反射面５、７の各一端５ａ、７ａが、図２０で示すように移動した位置点Ｂ１´、Ｂ２´にそれぞれ配置された場合にも、一端５ａ、７ａと光源２の中心軸２ａとを結ぶ線分Ｂ１´−Ｏ、Ｂ２´−Ｏが、基準面Ｋに対してなす角度は９０度以下である。
【００８５】
また、第６の実施例の反射鏡９１では、光源２から放出され、第１の反射面５、７に入射した光が、該反射面５、７により反射する角度（配光角）を変化させることができる。
【００８６】
この実施例６の反射鏡９１では、一対の第１の反射面５、７を平面で形成するとともに、第２の反射面側に位置する一対の第１の反射面５、７の各一端５ａ、７ａと、光源２の中心軸２ａとを結ぶ線分Ｂ１−Ｏ、Ｂ２−Ｏが、基準面Ｋに対してなす角度が９０度以下であるから、この反射鏡９１が実施例１の反射鏡３と同様の作用効果を奏することはいうまでもない。
【００８７】
なお、第６実施例の反射鏡９１は、第１の反射面５、７の各一端５ａ及び７ａを同じように移動させるものであってもよいし、また、必要に応じて各一端５ａ、７ａを互いに別個独立に移動させるものであってもよい。
【００８８】
なお、現在、デジカメ等の撮像装置では、撮像素子やメモリ等の小型化により、撮像装置自体の小型化が進められているが、本願発明の第１乃至第６実施例の反射鏡１、２１、３１、５１、７１、９１では、反射鏡の開口部寸法を小さくでき、かつ、反射鏡の奥行き寸法を小さくできるから、この各反射鏡を用いることによって、撮像装置も小型にすることができる。
【００８９】
なお、本発明は、上述しかつ図面に示した実施の形態に限定されるものではなく、その要旨を逸脱しない範囲内で種々の変形実施が可能である。
【００９０】
例えば、この反射鏡に収納される光源として、蛍光ランプ（熱陰極管、冷陰極管等）、円筒形の筒状の光源を使用することができる。
【００９１】
また、この発明の反射鏡では、第２の反射面を構成する反射部は、円筒面部の中心軸Ｏを挟んで、該円筒面部と反対側の位置に配設され、かつ中心軸Ｏを基準に該円筒面部の形状に対し非点対称形状に形成されたものであればよく、上記第１乃至第４実施例の反射部１４、１５のような断面円弧形状の円筒部や、第６実施例の反射鏡の各反射部７５、７７のように二つの平面を用いた形状に限らないことはいうまでもない。  
また、上記第１実施例乃至第４実施例の反射鏡１、２１、３１、５１、第６実施例の反射鏡９１においてそれぞれ設定される反射部１４、１５の各半径ｒ１、ｒ２の大きさは互いに同一であることとして説明したが、各半径ｒ１、ｒ２の大きさは互いに異なるものであってもよい。また、各半径ｒ１、ｒ２の大きさは光源２の内半径ｒと必ずしも同一である必要はない。
【産業上の利用可能性】
【００９２】
本願発明の電子閃光装置用反射鏡は、例えば、カメラ、ビデオカメラその他の電子機器、照明器具に用いられる。
【図１】
0004423330.tif 000002
【図２】
0004423330.tif 000003
【図３】
0004423330.tif 000004
【図４】
0004423330.tif 000005
【図５】
0004423330.tif 000006
【図６】
0004423330.tif 000007
【図７】
0004423330.tif 000008
【図８】
0004423330.tif 000009
【図９】
0004423330.tif 000010
【図１０】
0004423330.tif 000011
【図１１】
0004423330.tif 000012
【図１２】
0004423330.tif 000013
【図１３】
0004423330.tif 000014
【図１４】
0004423330.tif 000015
【図１５】
0004423330.tif 000016
【図１６】
0004423330.tif 000017
【図１７】
0004423330.tif 000018
【図１８】
0004423330.tif 000019
【図１９】
0004423330.tif 000020
【図２０】
0004423330.tif 000021
【図２１】
0004423330.tif 000022